(57)【要約】      （修正有） 【課題】子供がランドセルを背負ったとき、背負いベルトが子供の体に立体的に沿うようにして、ランドセルと子供の体との密着性を良くして、走ってもランドセルが揺れないように体にフィットしたランドセルを提供する。【解決手段】ランドセル本体1の背板1aの上辺中央両側に僅かの距離をおいて一対の背負いベルト２の上端をそれぞれ連結金具３を介して連結するとともに、前記本体１の両側面部1b、のそれぞれ下部に連結金具４、を介して前記背負いベルト２、の下端を連結する。この背負いベルト２、の下端はそれぞれ連結金具４、を介して前記両側面部1b,の下部に回動自在に連結する。【選択図】図1
0003108740.tif 000002
【実用新案登録請求の範囲】
【請求項１】
ランドセル本体1の背板1aの上辺中央両側に僅かの距離をおいて一対の背負いベルト２，２の上端をそれぞれ連結金具３，3を介して連結するとともに、前記本体1の両側面部1b,1bのそれぞれ下部に連結金具４，4を介して前記背負いベルト２，2の下端を連結したことを特徴とするランドセル。
【請求項２】
背負いベルト２，2の下端の前記本体1の両側面部1b,1bのそれぞれ下部への連結は、連結金具４，4を介して回動自在に連結されていることを特徴とする請求項1記載のランドセル。
【請求項３】
背負いベルト２は、上方背負い部2aの内側2a’を湾曲形状に膨出して形成するとともに、該上方背負い部2aの外側を略直線状に形成したことを特徴とする請求項1又は2記載のランドセル。
【考案の詳細な説明】
【技術分野】
【０００１】
本考案は、ランドセルを背負ったときランドセルが子供の体に密着して、走ってもランドセルが揺れないように改良したランドセルに関するものである。
【背景技術】
【０００２】
従来のランドセルは、これを背負うために、図4の従来のランドセルの背面図が示すように、ランドセル本体1の背板1aの上辺中央両側に僅かの距離をおいて、一対の背負いベルト２，２の上端をそれぞれ連結金具を介して連結するとともに、該背負いベルト２、２の下端は該本体1の底部に若干の距離をおいて連結されている。すなわち該背負いベルト２、２は、上下方向に相互間隔が上部は狭く下部は若干広くそれぞれ直線状に連結されている。
【特許文献１】特開２００３-２１０２２７号公報（図1）
【考案の開示】
【考案が解決しようとする課題】
【０００３】
ランドセル本体に対する従来型の背負いベルトの上下方向が直線状の取付けでは、子供がランドセルを背負ったとき、子供の背中とランドセルの上部との間に隙間（ｇ）が生じ、背中とランドセルとの密着性が悪く、子供がランドセルを背負って走るときランドセルが揺れるという欠点があった。（図５（Ｂ）参照）。
【０００４】
本考案は、このような事情に鑑みてなされたものであって、子供がランドセルを背負ったとき、背負いベルトが子供の体に立体的に沿うようにして、ランドセルと子供の体との密着性を良くして、走ってもランドセルが揺れないように体にフィットしたランドセルを提供することを目的とする。
【課題を解決するための手段】
【０００５】
上記目的を達成するために、本考案のランドセルは、ランドセル本体1の背板1a の上辺中央両側に僅かの距離をおいて一対の背負いベルト２、2の上端をそれぞれ連結金具３、３を介して連結するとともに、前記本体1の両側面部1b,1bのそれぞれ下部に連結金具4、4を介して前記背負いベルト２、２の下端を連結したことを特徴とするものである。このようにすると、背負いベルト２、２は子供の体に立体的にすなわち体のＸ・Ｙ・Ｚ方向に沿い子供の体との密着性を良くすることができる。
【０００６】
背負いベルト２、２の下端の前記本体１の両側面部1b,1bのそれぞれ下部への連結は、連結金具４、４を介して回動自在に連結されていることが望ましい。これにより、背負いベルト２、２は自在に背負った子供の体に沿い、容易にランドセルを子供の体にフィットさせることができる。
【０００７】
また、背負いベルト２は、上方背負部2aの内側2a’を湾曲形状に膨出して形成するとともに、該上方背負い部2aの外側を略直線状に形成することが効果的である。この場合、子供の肩から胸にかかる部分に、背負いベルト２の内側2a’の膨出した上方背負い部2aがフィットするとともに、上方背負い部2aの略直線状の外側が子供の脇にフィットするので、ランドセルを背負ったとき圧迫感がなく使用感に優れ、疲労感が少なくなる。
【考案の効果】
【０００８】
請求項１記載の本考案のランドセルによれば、ランドセルを背負ったとき背負いベルト２、２が子供の体に立体的に沿い、子供の背中とランドセルとの密着度が良くなり、ランドセル上部と子供の背中との隙間がなくなりランドセルが体によくフィットするため、走ってもランドセルが揺れないという効果がある。これについては、本考案のランドセルを何人かの子供達に背負ってもらった処、皆、体にフィットして走ってもランドセルが揺れないという回答を得ている。
【０００９】
請求項２記載の考案によれば、背負いベルト２、２の下端が本体1の両側面部1b、1bの下部に連結金具４、４を介して回動自在となるため、ランドセルを背負ったとき背負いベルト２、２は自在に子供の体に沿い、ランドセルを容易に体にフィットさせることが出来るという効果がある。
【００１０】
請求項３記載の考案によれば、ランドセルを背負ったとき、子供の肩から胸にかかる部分に背負いベルト２の内側2a’の膨出した上方背負い部がフィットするとともに、上方背負い部2aの略直線状の外側が子供の脇にフィットするので、ランドセルを背負ったとき圧迫感がなく使用感に優れ、疲労感が少なくなるという効果がある。
【考案を実施するための最良の形態】
【００１１】
本考案の好ましい実施の形態を図面に基づいて詳細に説明する。図1に、本考案のランドセルの背板側から見た斜視図が示されており、図２に本考案のランドセルの背面図が、図３に該ランドセルの側面図が示されている。
【００１２】
１は、ランドセル本体であって、該本体1の背板1aの上辺中央両側に、僅かの距離をおいて一対の背負いベルト２、２の上端すなわち該背負いベルトの上方背負い部2a,2aの上端を、それぞれ連結金具３、３を介して連結する一方、該上方背負い部2a,2aの下端に連結されたベルト状の下方連結部2b,2bが、前記本体１の両側面部1b,1bの下部に設けた連結金具４、４の各連結環41,41を挿通し折返して該下方連結部2b,2bの端部に設けた係合金具2c,2cの位置を調節して体に合わすようになっている。
【００１３】
前記背負いベルト２の上方背負い部2aはスポンジ等弾性材料よりなる芯を有するもので、その内側2a’を湾曲状に膨出して形成するとともに、該上方背負い部2aの外側を略直線状に形成している。
【００１４】
このようなランドセルを背負った状態を図５（Ａ）に、従来のランドセルを背負った状態を図５（Ｂ）に示す。従来のランドセルを背負ったとき（図５（Ｂ）の場合）は、前記[０００３]に示すように子供の背中とランドセルの上部との間に隙間（ｇ）が生じ、背中とランドセルとの密着性が悪く、子供がランドセルを背負って走るときランドセルが揺れる。本考案のランドセルを背負った状態（図５（Ａ）の場合）では、子供の背中とランドセル上部との間には前記隙間（ｇ）がなくなりランドセルは子供の体にフィットし子供がランドセルを背負って走るときランドセルが揺れることはない。
【産業上の利用可能性】
【００１５】
ランドセルに背負いベルトを設ける場合、一対の背負いベルトの各下端をランドセル本体の両側面部のそれぞれ下部に連結金具を介して連結するだけで良く、コストアップする必要なく、従来のものより子供の体に良くフィットするランドセルを容易に提供することができる。
【図面の簡単な説明】
【００１６】
【図１】本考案のランドセルの背板側から見た斜視図である。
【図２】本考案のランドセルの背面図である。
【図３】本考案のランドセルの側面図である。
【図４】従来のランドセルの背面図である。
【図５】本考案のランドセルと従来のランドセルの使用状態を示す側面図である。
【符号の説明】
【００１７】
１…… ランドセル本体
1a……背板
1b……側面部
２……背負いベルト
2a……背負いベルトの上方背負い部
2a’…上方背負い部の内側
３……背負いベルト上端の連結金具
４……背負いベルト下端の連結金具
【図１】
0003108740.tif 000003
【図２】
0003108740.tif 000004
【図３】
0003108740.tif 000005
【図４】
0003108740.tif 000006
【図５】
0003108740.tif 000007